(57)【要約】【課題】  存在が容易に視認できない空気圧センサーを使用すると共に、自動的に侵入者を検知可能な監視カメラと組み合わせることにより、安価で監視精度が高く信頼性に富んだ監視装置を提供する。【解決手段】  密封された監視領域内の任意の位置に設置する空気圧センサーと、監視領域の外側および内側を撮影する複数の監視カメラと、上記空気圧センサーの検知信号を変換する信号変換装置と、上記監視カメラおよび上記信号変換装置の信号を入力してその信号内容から監視領域の異常を判断し、通信網を介して異常を通報する集中管理装置とで監視装置を構成する。また、上記監視カメラのうち、少なくとも監視領域の外側に設けられる監視カメラは、自動的にそのカメラの監視域に入った人物の動きや特徴を認識し、一定条件に該当する場合、その人物を不審侵入者として検知する。【選択図】  図１
2005216095.tif 000002
【特許請求の範囲】
【請求項１】
密封された監視領域内の任意の位置に設置する空気圧センサーと、監視領域の外側および内側を撮影する複数の監視カメラと、上記空気圧センサーの検知信号を変換する信号変換装置と、上記監視カメラおよび上記信号変換装置の信号を入力してその信号内容から監視領域の異常を判断し、通信網を介して異常を通報する集中管理装置とを備えたことを特徴とする監視装置。
【請求項２】
上記監視カメラのうち、少なくとも監視領域の外側に設けられる監視カメラは、自動的にそのカメラの監視域に入った人物の動きや特徴を認識し、一定の条件に該当する場合、その人物を不審侵入者として検知するものである監視装置。
【発明の詳細な説明】
【技術分野】
【０００１】
この発明は、監視カメラおよび空気圧センサーを用いた監視装置に係り、安価で監視精度の高い監視装置を提供するものである。
【背景技術】
【０００２】
現状のセキュリティシステムにおける監視装置では、監視領域に設置した各種センサーが作動することによって、警備会社の集中監視センターや個人にその旨の通報が行われるのが一般的である（例えば、特許文献１参照）。そして、通報を受けた警備会社や個人は、警備会社であれば、警備会社の警備員等が現場に急行するか、現地に監視カメラが設置してある場合、その画像を確認して、警察等のしかるべき機関に通報して対処している。個人の場合も、可能であれば監視カメラの画像を携帯電話等で確認等してしかるべく対処している。
【０００３】
ところで、従来の監視装置におけるセンサーとしては、磁気センサー、赤外線センサー、熱感知センサー等が広く利用されている。磁気センサーは、個々のドアや窓に一対の磁石を取り付け、磁石が離れたことを検知して所定の信号を発するようにしたものである。赤外線センサーは、赤外線のビームを張り巡らし、侵入者がビームを横切って遮断したことを検知して所定の信号を発するようにしたものである。また、熱感知センサーは、侵入者の体温を感知して所定の信号を発するようにしたものである。
【０００４】
しかしながら、これらのセンサーにはそれぞれに長所、短所があり、必ずしも万全なものではなかった。即ち、磁気センサーの場合、監視領域における全てのドアや窓に取り付けなければならないという問題がある。従って、配線工事が煩雑であり、しかも、ドアや窓が多ければ多いほど工事の手間と費用が比例的にかさみ、コストの面でも問題である。また、現在では侵入者が磁気センサーの存在を認知しており、外部から視認が容易であるため、磁気センサーのついているドアや窓をさけ、直接壁を破壊したり、窓ガラスを大きく切り取りそこから侵入するなど、磁気センサーに検知されないように侵入する方法もある。
【０００５】
また、赤外線センサーの場合も、侵入者の侵入後、赤外線発生装置の存在を容易に認識できるため、赤外線発生装置を作動できなくする等は容易に可能であり、監視機能としては充分ではなかった。また、監視領域にも限界があることから、多数設置する必要があり、コスト面でも磁気センサーと同様の問題がある。
【０００６】
熱感知センサーの場合も、センサーの反応する領域に侵入者が入ったときに体温を感知して作動するものであるので、監視領域全体をカバーするには複数のセンサーが必要となり、コスト面で問題があった。
【０００７】
一方、本発明で使用しようとする空気圧センサーは、例えば、事務所、店舗、家屋などを一体の空間としておき、監視領域内の任意の個所にこのセンサーを配置するだけで一体となった空間全体を監視できるものである。即ち、事務所等のドアや窓を閉め、密封された監視領域を作り、その監視領域の任意の位置に空気圧センサーを設置すれば、当該監視領域全体を監視できるのである。この空気圧センサーは、密封された監視領域に外部からの侵入者がドアや窓を開けた場合、そのときの空気圧の変化や空気の流れを瞬時に感知して、所定の信号を出力するものである。従って、ドアや窓を開ける他、壁の破壊や窓ガラスを切り取って侵入する場合にも対応でき、従来のセンサーでは対応できなかった進入経路に対しても対応できる利点がある。
【０００８】
【特許文献１】特開平６−１１１１４６号公報
【発明の開示】
【発明が解決しようとする課題】
【０００９】
以上説明したように、磁気センサー等を用いる従来の監視装置は、その存在が外部から視認でき、センサーに感知されないように回避する対応が可能なものであったので、監視精度の点で問題があった。そこで、本発明では、その存在が容易に視認できない空気圧センサーを使用すると共に、自動的に侵入者を検知可能な監視カメラと組み合わせることにより、安価で監視精度が高く信頼性に富んだ監視装置を提供することを目的とする。
【課題を解決するための手段】
【００１０】
上記課題を解決するために、本発明は、密封された監視領域内の任意の位置に設置する空気圧センサーと、監視領域の外側および内側を撮影する複数の監視カメラと、上記空気圧センサーの検知信号を変換する信号変換装置と、上記監視カメラおよび上記信号変換装置の信号を入力してその信号内容から監視領域の異常を判断し、通信網を介して異常を通報する集中管理装置とで監視装置を構成するという手段を採用した。
【００１１】
また、上記監視カメラのうち、少なくとも監視領域の外側に設けられる監視カメラは、自動的にそのカメラの監視域に入った人物の動きや特徴を認識し、一定の条件に該当する場合、その人物を不審侵入者として検知するものである監視装置とした。
【００１２】
上記構成によれば、先ず外側の監視カメラが不審侵入者を検知し、更に、密封された監視領域が開放された場合、その空気圧の変化を空気圧センサーが感知し、集中管理装置を介して異常を通報するものである。
【発明の効果】
【００１３】
本発明に係る監視装置は、異常を検知するセンサーとして空気圧センサーを使用するようにしたので、監視領域が密封されていれば、その領域全体を一つの空気圧センサーで監視できるようになる。従って、前述した従来のセンサーのように煩雑な配線工事等が不要となって、コストの面で非常に優れている。また、任意の場所に設置できるので、例えば棚の上や引き出しの中などに設置すれば、外部から視認されるおそれが無く、侵入者はセンサーが設置されていることを認識できず、回避行動をとれないので、侵入を確実に検知できることになる。そのため、安価で、且つ監視精度の高い監視装置を提供できる。
【００１４】
また、外部からの侵入に関しては、先ず外部の監視カメラで不審者を検知して通報可能であり、監視領域に関しては、空気圧センサーによる検知と併せて二重に検知することになり、監視精度の信頼性が高くなる。
【発明を実施するための最良の形態】
【００１５】
以下、本発明に係る監視装置について、図面に示す実施形態に従って説明する。図１は、監視装置の全体を示す概略図である。図１において、１は間取り図で示す建物（Ｈ）の部屋１、２は部屋２、３は部屋３であり、各部屋にはそれぞれドアと窓がある。ここでは部屋２を主な監視領域とする場合を説明する。建物の屋外からの入り口のドア付近には不審侵入者を監視する監視カメラ４が取り付けられている。また、監視対象である部屋２には、部屋全体を監視できるように監視カメラ５が取り付けられると共に、部屋２の任意個所に空気圧センサー６を取り付け、部屋２及び、部屋１、３の内部の空気圧を常時監視している。監視カメラ４、５は直接、また空気圧センサー６は信号変換装置７を介して、パーソナルコンピュータなどからなる集中管理装置８に接続され、監視カメラ４、５や空気圧センサー６から送られるデータおよび信号は集中管理装置８で判断、処理する。集中管理装置８はインターネットや公衆電話回線等の通信網９で管理者１０と接続され、入力された信号によって監視領域に異常があると判断した場合に管理者１０にその旨の通報が送られる。管理者１０としては、警備会社の集中管理センターや警察、消防、個人などが該当する。
【００１６】
次にこの監視装置で使用される空気圧センサー６について説明すると、このセンサーは密閉空間に設置され、その空間に圧力の変化や空気の流れがあった場合、それを感知して所定の信号を出力するものである。具体的には、密閉された一部屋を監視領域とし、その部屋のドアや窓が開けられたり、窓ガラスが割れたりするなどして、部屋内部の空気圧が変化した場合に、その変化を感知して信号を出力する。従って、従来の磁気センサー等のように、個々のドアや窓に取り付ける必要が無く、また、熱感知センサーより監視領域が広いので、一部屋に１個設置するだけでよい。更に、個々の部屋をドアで仕切っていても建物全体を監視領域とし、センサーを設置した部屋以外の部屋の窓等が開けられた場合にも微少な空気圧変化を検知することができるものもある。また、部屋を密閉状態にしていれば、部屋の任意の個所に設置できるので、棚の上や引き出しの中など、発見しづらい場所に設置しておけば、侵入者に視認されるおそれが無く、侵入者に監視されていること自体を認識されないようにできるものである。
【００１７】
また、監視カメラとしては、現在一般的に用いられている監視カメラでもよいが、例えば、出願人が既に公開しているように（特開２００３−２１９２２５号「動体画像監視装置」参照）、電動の雲台とズームレンズによってカメラを自動的に制御し、撮影範囲の動体（人物等）を自動的に追尾撮影できるようにしたものが好ましい。更に、例えば、既に公開されているように（特開２００３−３１７１６７号「防犯・防災ネットワークシステム」参照）、撮影画像を特定条件の下でネットワークを介して伝送可能なシステムを採用することも可能である。
【００１８】
次に、上記構成の監視装置の作動要領について説明する。先ず、図示しない適宜な制御装置で監視の開始を指示すると、屋外に設置した監視カメラ４が建物の外部で不審者を監視する。図１では入り口付近にのみ監視カメラを設置しているが、侵入可能な窓の近辺など、複数個所に監視カメラを設置することも可能である。この監視カメラは、自動的にそのカメラの監視域に入った人物の動きや特徴を認識し、一定の条件に該当する場合、その人物を不審侵入者として検知する作用を有するものとする。この屋外の監視カメラ４が不審侵入者を検知すると、集中管理装置８、通信網９を介して管理者１０にその旨が通報される。可能であれば撮影画像も転送する。通報を受けた管理者１０は、ディスプレイ、携帯電話等で通報内容、画像等を判断して、現場に警備員を派遣する、或いは、警察に連絡する等の対処を行う。
【００１９】
屋外に設置した監視カメラが侵入者を捕捉できなかった場合、或いは、侵入者が更に侵入を試みた場合、侵入者が部屋２のドアや窓を開けることによって、直ちに空気圧センサー６がこれを検知して、室内に警告音を発すると共に所定の信号を出力し、信号変換装置７、集中管理装置８、通信網９を介して管理者１０にその旨が通報される。同時に、部屋２内に設置された監視カメラ５も作動し、現場の状況を撮影して管理者１０に画像が転送される。管理者１０は通報や画像によって侵入を認知できるので、その内容を判断して適当な対処を行うことが可能である。
【００２０】
従って、上述の監視装置によれば、侵入者に監視装置の存在を視認されることなく監視領域を監視でき、また、一部屋に一台の空気圧センサーを設置するだけでよいので、コストの面で有利である。
【図面の簡単な説明】
【００２１】
【図１】本発明に係る監視装置の全体の構成を示す概略図である。
【符号の説明】
【００２２】
１    部屋１
２    部屋２
３    部屋３
４    監視カメラ
５    監視カメラ
６    空気圧センサー
７    信号変換装置
８    集中管理装置
９    通信網
１０    管理者
【図１】
2005216095.tif 000003